【事件の表示】
　特願２００１−１１３０８９「印刷装置および印刷ジョブ管理方法」拒絶査定不服審判事件〔平成１４年１０月２３日出願公開、特開２００２−３０７７９４〕について、次のとおり審決する。
【結　論】
　本件審判の請求は、成り立たない。
【理　由】
第１　手続の経緯
　本願は、平成１３年４月１１日の出願であって、平成２０年４月１１日及び平成２２年１０月１２日付けで手続補正がなされ、平成２２年１０月２５日付けで拒絶査定がなされ、これに対して、平成２３年１月３１日付けで拒絶査定不服審判の請求がなされると同時に手続補正がなされたものである。
　なお、請求人は、当審における平成２３年６月１日付けの審尋に対して同年８月２日付けで回答書を提出している。
　
第２　平成２３年１月３１日付け手続補正についての補正却下の決定
〔補正却下の決定の結論〕
　平成２３年１月３１日付け手続補正を却下する。
　
〔理由〕
１　本件補正の内容
（１）平成２３年１月３１日付け手続補正（以下「本件補正」という。）は、特許請求の範囲及び発明の詳細な説明についてするもので、特許請求の範囲については、本件補正前の請求項１に、
「印刷ジョブの印刷を実行する印刷手段と、
　前記印刷ジョブの印刷の実行を制御する制御手段であって、前記印刷手段により前記印刷ジョブの印刷に関するエラーが発生した場合に、
　　後続する印刷ジョブの印刷データの変換処理が完了して
いれ
　　前記後続する印刷ジョブの印刷データの変換処理が完了していな
ければ、前記
し
するまでに当該
れば
る
を有することを特徴とする印刷装置。」とあったものを、
　
「印刷ジョブの印刷を実行する印刷手段と、
　前記印刷ジョブの印刷の実行を制御する制御手段であって、前記印刷手段により前記印刷ジョブの印刷に関するエラーが発生した場合に、
　　後続する印刷ジョブの印刷データの変換処理が完了して
いるか否かを判定する第１の判定処理を実行し、前記第１の判定処理によって前記後続する印刷ジョブの印刷データの変換処理が完了していると判定されれ
　　
前記第１の判定処理によって
いと判定されれば、前記印刷ジョブの印刷に関する
する第２の判定処理を実行し
　　
前記第２の判定処理で前記印刷ジョブの印刷に関するエラーが解消されたと判定されるよりも早く、前記第１の判定処理によって前記後続するジョブの印刷データの変換処理が完了していると判定された場合には、当該完了していると判定された前記後続する印刷ジョブの印刷を前記印刷ジョブの印刷に先行して実行し、
　　
前記第１の判定処理で
していると判定されるよりも早く、前記第２の判定処理によって前記印刷ジョブの印刷に関する
たと判定された場合には、当該解消されたと判定された
る、
を有することを特徴とする印刷装置。」とする補正を含むものである（下線は審決で付した。以下同じ。）。
　
（２）本件補正後の請求項１に係る上記（１）の補正は、本件補正前の請求項１に係る発明を特定するために必要な事項である「制御手段」について、「後続する印刷ジョブの印刷データの変換処理が完了していれば、当該後続する印刷ジョブの印刷を前記印刷ジョブの印刷に先行して実行し、前記後続する印刷ジョブの印刷データの変換処理が完了していなければ、前記エラーが解消されたか否かを判定し、前記後続するジョブの印刷データの変換処理が完了するまでに当該エラーが解消されれば前記印刷ジョブの印刷を前記後続する印刷ジョブの印刷に先行して実行する」を「後続する印刷ジョブの印刷データの変換処理が完了しているか否かを判定する第１の判定処理を実行し、前記第１の判定処理によって前記後続する印刷ジョブの印刷データの変換処理が完了していると判定されれば、当該後続する印刷ジョブの印刷を前記印刷ジョブの印刷に先行して実行し、前記第１の判定処理によって前記後続する印刷ジョブの印刷データの変換処理が完了していないと判定されれば、前記印刷ジョブの印刷に関するエラーが解消されたか否かを判定する第２の判定処理を実行し、前記第２の判定処理で前記印刷ジョブの印刷に関するエラーが解消されたと判定されるよりも早く、前記第１の判定処理によって前記後続するジョブの印刷データの変換処理が完了していると判定された場合には、当該完了していると判定された前記後続する印刷ジョブの印刷を前記印刷ジョブの印刷に先行して実行し、前記第１の判定処理で前記後続するジョブの印刷データの変換処理が完了していると判定されるよりも早く、前記第２の判定処理によって前記印刷ジョブの印刷に関するエラーが解消されたと判定された場合には、当該解消されたと判定された前記印刷ジョブの印刷を前記後続する印刷ジョブの印刷に先行して実行する、」と具体化して限定するものである。
　
２　本件補正の目的
　本件補正後の請求項１に係る本件補正は、上記１（２）のとおり、本件補正前の請求項１に係る発明を特定するために必要な事項を限定するものであるから、平成１４年法律第２４号改正附則第２条第１項によりなお従前の例によるとされる同法による改正前の特許法第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下検討する。
　
３　引用刊行物及び引用発明
（１）原査定の拒絶の理由に引用された「本願の出願前に頒布された刊行物である特開平１０−９１３６６号公報（以下「引用例１」という。）」には、次の事項が図とともに記載されている。
　ア　「【請求項１】 
印刷要求の出された印刷データを印刷キューに順次登録し、この印刷キューに登録された印刷データを印刷イメージへ展開してからプリンタへ転送する印刷処理装置において、連続した複数の印刷要求に対しては印刷データを印刷イメージへ展開するイメージ展開処理を並列に実行
【請求項２】 請求項１記載の印刷処理装置において、印刷データから印刷イメージへ展開しているデータを
印刷要求毎にイメージバッファに保存し、予め定めた印刷条件を満足した印刷要求からプリンタへ転送する
　
　イ　「【０００１】
【発明の属する技術分野】本発明は、
イメージを含んだ文書又はテキストのみからなる文書などの印刷要求を処理する印刷処理装置
【０００２】
【従来の技術】印刷を行う場合、プリンタ言語によって文字の属性（フォン卜種類、サイズなど）、図形形状などが指定された印刷データを作成している。ユーザ印刷要求ファイルから取り出した印刷データを印刷イメージに展開してプリンタのハードウエアへ転送するまでの印刷処理は、プリンタ言語で書かれた印刷データをキューイングするプロセスと、印刷キューからデータを取り出してイメージ展開するプロセスと、そのイメージを印刷するハードウエアに転送し印刷要求をかけるプロセスとに大きく分かれる。
【０００３】印刷のパフオーマンスは、プリンタハード自体の性能にも左右されるが、印刷データから印刷イメージに展開する時間が大きく影響してくる。イメージ展開時間は、それ自体の時間の積み上げが性能に影響するだけでなく、プリンタハードの性能を１００％引き出せるかまで左右する。
【０００４】・・・略・・・。
【０００５】
従来、印刷データから印刷イメージに展開する時間を短縮するためにイメージ展開の処理と印刷要求の処理とを独立して動作させる並行処理を行ってきたが、このイメージ展開時間が印刷時間とプリンタの制約時間を越えるような場合には効果がなかった
【０００６】
【発明が解決しようとする課題】このように、従来はプリンタハードには余裕があるにも拘らず前回の印刷要求に対する印刷ジョブが終わるまで次の印刷要求の処理を待たなければならないことから
従来、印刷データから印刷イメージに展開する時間を短縮するためにイメージ展開の処理と印刷要求の処理とを独立して動作させる並行処理を行ってきたが、このイメージ展開時間が印刷時間とプリンタの制約時間を越えるような場合には効果がなかった
【０００７】本発明は、以上のような実情に鑑みてなされたもので、
連続した印刷要求に対してプリンタのハードウエアを効率よく運用することができる印刷処理装置を提供することを目的と
　
　ウ　「【０００８】
【課題を解決するための手段】本発明は、上記目的を達成するために以下のような手段を講じた。本発明は、イメージ展開の処理と印刷要求の部分を独立させ動作させる並行処理に加え、イメージ展開の処理自体を連続した印刷要求に対して並行して処理するようにした。
【０００９】また本発明は、イメージ展開されたデータに対して印刷可能か否かの判定条件を設け、印刷優先度を動的に変更（判定条件の変更）することによって、プリンタにデータを転送・印刷要求をかけプリンタハードウエアを効率よく運用するようにした。」
　
　エ　「【００１１】
【発明の実施の形態】以下、本発明の実施の形態について図面を参照して説明する。この実施の形態に係る印刷処理装置のソウトウエア構成を図１に示し、この印刷処理装置を備えたシステムのハードウエア構成を図２に示している。この
印刷処理装置を備えたシステムは、印刷処理全体のコントロール、キューイング処理、イメージ展開処理、圧縮処理、伸張処理、プリンタコントロール処理等を行う計算機１と、印刷キューに蓄えられる印刷データの保管及びイメージ展開されたデータのイメージバッファとして機能するディスク２と、計算機１で作成されたイメージデータを受け取りそのままの解像度で用紙に印刷するプリンタ３とから構成され
【００１２】この
印刷処理装置は、印刷処理における一連の処理を管理するコントロール部１０が設けられ
一連の処理には、
印刷キュー登録処理、イメージ展開処理、イメージ圧縮処理、イメージバッファ管理処理、イメージ展開処理、プリンタコントロール処理
【００１３】
印刷キュー登録処理１１は、アプリケーシヨンなどから要求のあった印刷データを印刷キューに登録する処理であ
印刷データを解析し、
処理時間を換算し、ページ数と共に各ジョブ／各ぺージ毎にキュー管理テーブル２１ヘ格納する
【００１４】
イメージ展開処理１２は、プリンタ言語を解析し、文字情報、イメージ情報、ベクトル情報から１ページ分のプリンタの印刷解像度と同等の印刷イメージを作成する処理である。総ページ数、イメージ展開を完了したぺージ数（カレントページ）及び印刷開始指定ページをイメージバッファ管理テーブル２２に格納する
【００１５】
スケジューリング処理１４は、イメージバッファ２４に格納された印刷イメージについてイメージバッファ管理テーブル２２の情報にしたがって印刷を行う順番を決定する処理であ
【００１６】
プリンタコントロール処理１７は、イメージバッファ２４に格納された印刷データをプリンタ３へ転送する処理と、プリンタ３のハードウエアをコントロールする処理とからなる
【００１７】・・・略・・・。
【００１８】また、この印刷処理装置は、上記各種処理１１〜１７の実行状態を管理すると共に印刷データ及び展開データを保存するために、
各種のテーブル及びバッファを備え
【００１９】・・・略・・・。
【００２０】
キュー管理テーブル２１は、各ジョブの情報である、ページ総数、処理状況などを格納するテーブルであり
【００２１】
イメージバッファ管理テーブル２２は、イメージ展開処理１２が印刷データからイメージ展開した各ジョブのイメージ展開情報（カレントページ／ページ総数）を格納するテーブルである
【００２２】
印刷データキュー２３は、プリンタ言語で書かれた印刷データを格納するバッファであ
イメージバッファ２４は、イメージ展開された印刷データ、また圧縮された印刷データを格納するバッファである
　
　オ　「【００２３】以上のように構成された実施の形態における印刷処理内容について説明する。図３はこの実施の形態での印刷処理の全体の流れを概念的に示した図である。同図に示すように、
ユーザが計算機１上で作成した印刷データまたは外部記憶装置から読み込んだ印刷データについてユーザから印刷要求が指示されると、
印刷キュー登録処理１１では、ユーザから印刷要求の指示された印刷データを印刷データキュー２３に格納
印刷データキュー２３の最後尾に登録した印刷データについての情報を
キュー管理テーブル２１に設定
ページ総数を設定すると共に登録済みを
ユーザから印刷要求が指示される度に
コントロール部１０は、キュー管理テーブル２１の処理状況から登録済が無くなるまで、
キュー管理テーブル２１の処理状況をキュー順位の上位から検索し、未だイメージ展開が起動されていない登録済のステータスが設定されている印刷データを取り出す。この印刷データに対して印刷イメージへの展開処理を割り付けてイメージ展開処理を起動
並行（審決注：「平行」は「並行」の明らかな誤記なので訂正して摘記した。以下同じ。）してイメージ展開処理が実行
イメージ展開処理が実行された印刷データについてはキュー管理テーブル２１の処理状況を登録済からイメージ展開に変更
【００２４】
イメージ展開処理１２により並行してイメージ展開している各印刷データについて１ページ分のイメージ展開が終了する度に、
イメージバッファ管理テーブル２２における該当キュー順位の処理ページを変更
イメージ展開された処理ページ枚数が管理
【００２５】このように、
複数の印刷データを並行してイメージ展開することにより、
この実施の形態のように
先にイメージ展開が終了するショブを優先して印刷する
【００２６】図３に示すように
、印刷データからイメージ展開された印刷イメージデータはイメージバッファ２４に保存
【００２７
】スケジューリング処理１４では、
イメージバッファ管理テーブル２２から各印刷イメージデータのページ総数と処理ページとをキュー順位の上位から順にチェックして、処理ページ≦総ページ数
の関係になっているジョブを検索
検索されたジョブのカレントページ（処理ページ）が印刷開始指定ページに達しているか否か判断
【００２８】
処理ページ≧印刷開始指定ページの関係を満たすジョブがあれば、
そのジョブについてのキュー管理テーブル２１上の処理状況を印刷中に変更する
そのジョブに対応する印刷イメージデータをイメージバッファ２４から取り出してプリンタ３へ転送する
【００２９】このように、処理ページ≧印刷開始指定ページの関係を満たすジョブから優先してプリンタ３へ印刷イメージデータを転送するようにしたので、
並行してイメージ展開したジョブのうち先にイメージ展開が終了するジョブから順次印刷することができる
印刷開始指定ページを総ページ数または任意のページ数に設定
　
　カ　上記アないしオから、引用例１には次の発明が記載されているものと認められる。
「印刷要求の出された印刷データを印刷キューに順次登録し、この印刷キューに登録された印刷データを印刷イメージへ展開してからプリンタへ転送する印刷処理装置を備えたシステムにおいて、
　従来、印刷データから印刷イメージに展開する時間を短縮するためにイメージ展開の処理と印刷要求の処理とを独立して動作させる並行処理を行ってきたが、このイメージ展開時間が印刷時間とプリンタの制約時間を越えるような場合には効果がなかったので、連続した印刷要求に対してプリンタのハードウエアを効率よく運用することができる印刷処理装置を提供することを目的として、
　連続した複数の印刷要求に対しては印刷データを印刷イメージへ展開するイメージ展開処理を並列に実行し、印刷要求毎にイメージバッファに保存し、予め定めた印刷条件を満足した印刷要求からプリンタへ転送するようにした印刷処理装置を備えたシステムであって、
　印刷処理全体のコントロール、キューイング処理、イメージ展開処理、プリンタコントロール処理等を行う計算機１と、印刷キューに蓄えられる印刷データの保管及びイメージ展開されたデータのイメージバッファとして機能するディスク２と、計算機１で作成されたイメージデータを受け取りそのままの解像度で用紙に印刷するプリンタ３とから構成され、
　印刷処理装置は、印刷処理における、印刷キュー登録処理、イメージ展開処理、イメージ圧縮処理、イメージバッファ管理処理、イメージ展開処理、プリンタコントロール処理を含む一連の処理を管理するコントロール部１０、各種のテーブル及びバッファを備えており、
　印刷キュー登録処理１１は、アプリケーシヨンなどから要求のあった印刷データを印刷キューに登録する処理であって、印刷データを解析して処理時間に換算し、ページ数と共に各ジョブ／各ぺージ毎にキュー管理テーブル２１ヘ格納するものであり、
　イメージ展開処理１２は、プリンタ言語を解析し、文字情報、イメージ情報、ベクトル情報から１ページ分のプリンタの印刷解像度と同等の印刷イメージを作成する処理であって、総ページ数、イメージ展開を完了したぺージ数（カレントページ）、及び総ページ数又は任意のページ数が設定された印刷開始指定ページをイメージバッファ管理テーブル２２に格納するものであり、
　スケジューリング処理１４は、イメージバッファ２４に格納された印刷イメージについてイメージバッファ管理テーブル２２の情報にしたがって印刷を行う順番を決定する処理であり、
　プリンタコントロール処理１７は、イメージバッファ２４に格納された印刷データをプリンタ３へ転送する処理と、プリンタ３のハードウエアをコントロールする処理とからなるものであり、
　前記テーブルとしては、各ジョブの情報である、ページ総数、処理状況などを格納するキュー管理テーブル２１、及びイメージ展開処理１２が印刷データからイメージ展開した各ジョブのイメージ展開情報（カレントページ／ページ総数）を格納するイメージバッファ管理テーブル２２があり、
　前記バッファとしては、プリンタ言語で書かれた印刷データを格納するバッファである印刷データキュー２３、及びイメージ展開された印刷データ、また圧縮された印刷データを格納するバッファであるイメージバッファ２４があり、
　ユーザが計算機１上で作成した印刷データまたは外部記憶装置から読み込んだ印刷データについてユーザから印刷要求が指示される度に、印刷キュー登録処理１１では、ユーザから印刷要求の指示された印刷データを印刷データキュー２３に格納し、印刷データキュー２３の最後尾に登録した印刷データについてのページ総数をキュー管理テーブル２１に設定すると共にその処理状況に登録済みのステータスを設定し、
　コントロール部１０は、キュー管理テーブル２１の処理状況から登録済が無くなるまで、キュー管理テーブル２１の処理状況をキュー順位の上位から検索し、未だイメージ展開が起動されていない登録済のステータスが設定されている印刷データを取り出し、この印刷データに対して印刷イメージへの展開処理を割り付けイメージ展開処理を起動して並行してイメージ展開処理を実行し、イメージ展開処理が実行された印刷データについてはキュー管理テーブル２１の処理状況を登録済からイメージ展開に変更し、イメージ展開処理１２により並行してイメージ展開している各印刷データについて１ページ分のイメージ展開が終了する度に、イメージバッファ管理テーブル２２における該当キュー順位の処理ページを変更しイメージ展開された処理ページ枚数を管理し、印刷データからイメージ展開された印刷イメージデータをイメージバッファ２４に保存し、
　スケジューリング処理１４では、イメージバッファ管理テーブル２２から各印刷イメージデータのページ総数と処理ページとをキュー順位の上位から順にチェックして、処理ページ≦総ページ数の関係になっているジョブを検索して、検索されたジョブのカレントページ（処理ページ）が印刷開始指定ページに達しているか否か判断し、処理ページ≧印刷開始指定ページの関係を満たすジョブがあれば、そのジョブについてのキュー管理テーブル２１上の処理状況を印刷中に変更して、そのジョブに対応する印刷イメージデータをイメージバッファ２４から取り出してプリンタ３へ転送することにより、並行してイメージ展開したジョブのうち先にイメージ展開が終了するジョブから順次印刷することができるようにした、印刷処理装置を備えたシステム。」（以下「引用発明１」という。）
　
（２）原査定の拒絶の理由に引用された「本願の出願前に頒布された刊行物である特開平８−３０４１２号公報（以下「引用例２」という。）」には、次の事項が図とともに記載されている。
　ア　「【０００１】
【産業上の利用分野】本発明は、上位装置から転送された画情報を一旦蓄積した後、可視化して出力する画像処理装置の出力制御方法に係り、特に、各画情報に応じたサイズの記録用紙に画情報を印字出力させる画像処理装置の出力制御方法に関する。
【０００２】
【従来の技術】いわゆるプリントサーバとして機能する画像処理装置には、プリンタやプロッタといった印字出力装置が接続され、当該画像処理装置は、ネットワークを介して接続された複数の上位装置（例えば、ワークスレーション、ＣＡＤ、あるいは各種計算機等）から出力要求のあった画情報を一旦蓄積した後、前記プリンタ等へ転送して印字出力させる。
【０００３】前記プリンタ等は複数の用紙トレイを具備したものが多く、各用紙トレイには、異なったサイズの記録用紙や同一サイズで給紙方向を縦横に異ならせた記録用紙が収容されている。各記録用紙は、上位装置から出力要求のあった画情報に応じて自動的に選択される。
【０００４】ところで、このような構成の画像処理装置では、プリンタが紙詰りを起こしたり、印字要求のあった記録用紙が用紙切れを起こした場合のように、不測の事態が発生した場合の対処方法が問題となる。
【０００５】例えば、特開平５−１３８９９８号公報では、このような不測の事態が発生すると全ての処理を中断し、当該障害の復旧を待って処理を再開する技術が開示されている。
【０００６】
【発明が解決しようとする課題】上記した
従来技術では、例えば上位装置ＡからＡ３サイズでの印字要求があった後に、今度は上位装置ＢからＡ４サイズでの印字要求があった場合、Ａ３サイズが用紙切れを起こすと当該時点で全ての処理が中断し、Ａ３サイズの記録用紙が補充されるまで処理が再開されない。しかしながら、このような場合であってもＡ４サイズの記録用紙があれば、物理的には、上位装置ＢからのＡ４サイズでの印字要求を処理することは可能である。したがって、上位装置Ｂからの印字要求を先行して処理し、Ａ３サイズの記録用紙が補充された時点で上位装置Ａからの印字要求を処理するようにすれば、効率の良いプリント処理が可能になる
【０００７】本発明の
目的
上位装置からの一の印字要求に応じられない事態が発生したような場合であっても、他の印字要求に応じることができれば、当該他の印字要求を先行して処理できるようにした画像処理装置の出力制御方法を提供すること
【０００８】
【課題を解決するための手段】上記した目的を達成するために、本発明では、
入力された画情報を一旦蓄積し、その後、出力装置に出力する画像処理装置の出力制御方法において、(1) 新規に入力される未処理画情報を、その入力順序で管理して記憶し、(2) 出力装置の障害を検知し、(3) 記憶された未処理画情報を前記入力順序にしたがって検索し、(4) 検索された画情報が障害に無関係であれば出力し、障害に関係していれば退避させ、(5) 前記 (2)ないし(4) の手順を繰り返し、前記障害が復旧すると、前記退避させた画情報を前記未処理画情報に優先して、前記入力順序にしたがって出力するようにした
【０００９】
【作用】上記した構成によれば、出力装置に出力障害が発生していなければ、記憶された未処理画情報が当該入力された順序で出力装置に対して順次出力される。また、出力装置に出力障害が発生すると、当該出力障害に関連した未処理画情報は退避画情報として一時的に退避され、出力されることはないが、当該出力障害に無関係な未処理画情報は先行して出力装置に出力される。また、前記出力障害が解消されると、前記退避された画情報が他の未処理画情報に優先して出力される。
【００１０】
【実施例】以下、図面を参照して本発明を詳細に説明する。図１は、本発明が適用される画像処理装置の接続されるネットワークの構成を示した図である。画像処理装置１００は、例えばプリントサーバワークステーションであり、相互に独立して動作することの可能な上位装置２０１〜２０５と共に、それぞれトランシーバ３００〜３０５を介してネットワーク１０に接続されている。画像処理装置１００および各上位装置２０１〜２０５は、ネットワーク１０を介して相互にアクセスすることができる。画像処理装置１００には、各上位装置２０１〜２０５から転送された画情報を印字出力するための印字装置５０が接続されている。
【００１１】図２は、
前記画像処理装置１００
【００１２】
出力装置監視部１０４は、印字装置５０の状況として、例えば記録用紙の有無をサイズごとに監視し、当該有無情報を記憶する。未処理画情報記憶部１０８には、各上位装置から送出されて入力された画情報（未処理画情報）が、その入力順序で管理して記憶される。退避画情報記憶部１０９には、印字装置５０における用紙切れ等の出力障害によって印字出力することのできない画情報が退避画情報として一時的に記憶される
【００１３】当該画像処理装置１００は、入力インターフェース１０６を介して前記ネットワーク１０と接続され、外部印字装置５０とは出力インターフェース１０７を介して接続されている。装置内の各部は、システムバス１１０を介して相互にデータの送受信を行う。
【００１４】以下、フローチャートを用いて本発明を詳細に説明する。図３は、本発明の一実施例である出力制御方法（スケジューリング）を説明するためのフローチャートであり、当該出力制御は、ＣＰＵ１０１が前記スケジューリング処理部１０５に格納されたプログラムおよび制御データに従って周期的に実行する制御である。また、図４ないし図６は、当該制御過程における前記未処理画情報、退避画情報、および出力済画情報の状態を時系列的に表した模式図である。
【００１５】本実施例では、図４(a) に示したように、未処理画情報記憶部１０８には上位装置から転送された５つの画情報（画情報１〜画情報５）が当該順序（図中、下方から）で予め入力・登録されており、退避画情報記憶部１０９には画情報が全く登録されていない状態から出力制御が開始されるものとして説明する。
【００１６】
ステップＳ１０では、出力装置監視部１０４が、印字装置５０の状況、例えば記録用紙の有無をサイズごとに監視し、当該有無情報を記憶する。ステップＳ１１では、退避画情報記憶部１０９に退避画情報が登録されているか否かが判断され、ここでは退避画情報が未登録なのでステップＳ１４へ進む
【００１７】
ステップＳ１４では、未処理画情報記憶部１０８に未処理画情報が記憶されているか否かが判断され、ここでは５つの未処理画情報が登録されているのでステップＳ１５へ進む。ステップＳ１５では、未処理画情報記憶部１０８の一番目（図中、最下段）に登録されている画情報１の記録用紙（Ａ３サイズ）が印字装置５０に存在するか否かが、前記出力装置監視部１０４を参照することにより判断される。用紙が有ると判断されると、ステップＳ１６では、当該画情報１が未処理画情報記憶部１０８から読み出され
ステップＳ１７では、当該読み出された画情報１が印字装置５０に転送されて印字出力
ステップＳ１０へ戻
【００１８】
ステップＳ１０では、再び前記出力装置監視部１０４が印字装置５０の状況を監視し、記録用紙に関する前記有無情報を更新
ステップＳ１５では、未処理画情報記憶部１０８の一番目（図中、最下段）に登録されている未処理画情報２の記録用紙（Ａ４サイズ）が印字装置５０に存在するか否かが、前記と同様に出力装置監視部１０４を参照することにより判断され
【００１９】ここで、
Ａ４サイズが用紙切れを起こしていると当該処理はステップＳ１８へ進む
ステップＳ１８では、当該画情報２が未処理画情報記憶部１０８から読み出され
ステップＳ１９では、当該読み出された画情報２が退避画情報記憶部１０９に退避画情報として登録
ステップＳ１０へ戻る
【００２０】
ステップＳ１０では、再び出力装置監視部１０４において記録用紙に関する前記有無情報が更新される。ステップＳ１１では、退避画情報記憶部１０９に前記退避画情報２が登録されているので、今度は判定が肯定となってステップＳ１２へ進む。ステップＳ１２では、画情報２の記録用紙（Ａ４サイズ）が印字装置５０に存在するか否かが、前記と同様に出力装置監視部１０４を参照することにより判断される。ここで、依然として用紙切れが解消されていなければ当該処理はステップＳ１４へ進み、前記と同様にステップＳ１４〜Ｓ１７の処理が実行され
未処理画情報記憶部１０８の一番目に登録されている未処理画情報３が印字装置５０によって印字出力
再びステップＳ１０へ戻
【００２１】その後、前記と
同様の処理が繰り返
依然としてＡ４サイズの用紙切れが解消されていなければ、未処理画情報４（Ａ３サイズ）が印字装置５０によって印字出力され
未処理画情報５（Ａ４サイズ）は退避画情報記憶部１０９の２番目に登録され
【００２２】また、画情報５の処理が完了した後に
Ａ４サイズの用紙が印字装置５０に補充されると、当該処理はステップＳ１０、Ｓ１１、Ｓ１２を経てステップＳ１３へ進
ステップＳ１３では、退避画情報記憶部１０９の一番目（図中、最下段）に登録されている退避画情報２（Ａ４サイズ）が読み出され、ステップＳ１７において印字出力され
同様に、次に再びステップＳ１３が実行されると、退避画情報５（Ａ４サイズ）が印字出力
【００２３】一方、前記画情報３（Ａ３サイズ）の印字出力（ステップＳ１７）が終了した［図４(d) ］後にＡ４サイズの用紙が補充されると、ステップＳ１０では、その旨の有無情報が出力装置監視部１０４に記憶される。さらに、ステップＳ１１の判断が肯定となってステップＳ１２へ進むと、退避画情報記憶部１０９の一番目に登録されている退避画情報２（Ａ４サイズ）の印字出力が可能と判断されてステップＳ１３へ進む。ステップＳ１３では、退避画情報２が退避画情報記憶部１０９から読み出され、ステップＳ１７において印字装置５０により印字出力される［図６(e) ］。その後は、未処理画情報記憶部１０８に登録されている未処理画情報４および画情報５が当該順序でそれぞれ印字出力される［図６(f) および(g) ］。
【００２４】なお、上記した実施例では、画情報の用紙サイズがＡ４およびＡ３の２種類である場合を例にして説明したが、本発明はこれのみに限定されず、画情報の用紙サイズ（あるいは給紙方向）が３種類以上に及ぶ場合であっても同様である。
【００２５】図７および図８は、画情報の用紙サイズがＡ４縦、Ａ４横、およびＡ３の３種類である場合に前記出力制御を実行した際の、前記未処理画情報、退避画情報、および出力済画情報の状態を時系列的に表した模式図である。ここでは、図７(a) に示したように、未処理画情報記憶部１０８には上位装置から転送された５つの画情報（画情報１〜画情報５）が当該順序で入力・登録されており、退避画情報記憶部１０９には画情報が全く登録されていないものとして説明する。
【００２６】例えば、出力制御の開始時にＡ３サイズおよびＡ４横サイズが共に用紙切れを起こしており、Ａ４縦サイズのみが存在すると、図７(b),(c) に示したように、未処理画情報記憶部１０８の１番目および２番目に登録されている画情報１（Ａ３サイズ）および画情報２（Ａ４横サイズ）は、印字出力されることなく前記と同様にして退避画情報記憶部１０９に登録される。また、画情報３（Ａ４縦サイズ）は、用紙が存在するので印字出力される［同図(d) ］。
【００２７】また、前記画情報３の印字出力後に、Ａ４横サイズの記録用紙のみが補充されると、退避画情報記憶部１０９に登録されている退避画情報２が優先的に印字出力［図８(e) ］され、次いで、未処理画情報記憶部１０８の１番目に登録されている画情報４（Ａ４横サイズ）が印字出力［図８(f) ］される。
【００２８】さらに、前記画情報４の印字出力後に、Ａ３サイズの記録用紙が補充されると、退避画情報記憶部１０９に登録されている退避画情報１が優先的に印字出力［図８(g) ］され、次いで、未処理画情報記憶部１０８に残っている最後の画情報５（Ａ３サイズ）が印字出力［図８(h) ］される。
【００２９】このように、本実施例によれば、印字要求のあった画情報は、用紙切れ等の障害がなければ当該要求の順序で印字出力され、用紙切れが発生すると、当該サイズで印字要求のあった画情報は退避画情報として一時的に退避され、用紙切れを起こしていないサイズで印字要求のあった他の画情報が先行して印字出力される。また、前記退避画情報は用紙切れが解消された時点で印字される。したがって、無駄な待機時間が発生せず、効率の良い印字処理が可能になる。
【００３０】
【発明の効果】上記したように、本発明によれば、プリンタ等の外部出力装置に対して印字要求のあった画情報は、当該出力装置に障害がなければ当該要求の順序で出力され、
障害が発生すると、当該障害に関連した画情報は退避画情報として一時的に退避され、障害に無関係な他の画情報は先行して出力される。そして、退避画情報は障害が解消された時点で出力されるので、無駄な待機時間が発生せず、効率の良い出力処理が可能にな
　
　イ　上記アからみて、引用例２には次の発明が記載されているものと認められる。
「例えば上位装置ＡからＡ３サイズでの印字要求があった後に、今度は上位装置ＢからＡ４サイズでの印字要求があった場合、Ａ３サイズが用紙切れを起こすと、Ａ４サイズの記録用紙があれば、物理的には、上位装置ＢからのＡ４サイズでの印字要求を処理することは可能であるにもかかわらず、従来技術では、当該時点で全ての処理が中断し、Ａ３サイズの記録用紙が補充されるまで処理が再開されなかったが、上位装置Ｂからの印字要求を先行して処理しＡ３サイズの記録用紙が補充された時点で上位装置Ａからの印字要求を処理するようにすれば効率の良いプリント処理が可能になるので、上位装置からの一の印字要求に応じられない事態が発生したような場合であっても、他の印字要求に応じることができれば、当該他の印字要求を先行して処理できるようにした画像処理装置の出力制御方法を提供することを目的として、
　入力された画情報を一旦蓄積し、その後、出力装置に出力する画像処理装置の出力制御方法において、
　(1)新規に入力される未処理画情報を、その入力順序で管理して記憶し、
　(2)出力装置の障害を検知し、
　(3)記憶された未処理画情報を前記入力順序にしたがって検索し、
　(4)検索された画情報が障害に無関係であれば出力し、障害に関係していれば退避させ、
　(5)前記(2)ないし(4)の手順を繰り返し、前記障害が復旧すると、前記退避させた画情報を前記未処理画情報に優先して、前記入力順序にしたがって出力するようにした、画像処理装置の出力制御方法であって、
　具体的には、
　前記画像処理装置は、印字装置５０の状況として、例えば記録用紙の有無をサイズごとに監視し、当該有無情報を記憶する出力装置監視部１０４、各上位装置から送出されて入力された画情報（未処理画情報）が、その入力順序で管理して記憶される未処理画情報記憶部１０８、印字装置５０における用紙切れ等の出力障害によって印字出力することのできない画情報が退避画情報として一時的に記憶される退避画情報記憶部１０９などを有するものであり、
　ステップＳ１０で、出力装置監視部１０４が、印字装置５０の状況、例えば記録用紙の有無をサイズごとに監視して当該有無情報を記憶し、
　ステップＳ１１で、退避画情報記憶部１０９に退避画情報が登録されているか否かを判断して、退避画情報が未登録の場合ステップＳ１４へ進み、
　ステップＳ１４で、未処理画情報記憶部１０８に未処理画情報が記憶されているか否かを判断して、未処理画情報が登録されていればステップＳ１５へ進み、
　ステップＳ１５で、未処理画情報記憶部１０８の一番目に登録されている画情報１の記録用紙（Ａ３サイズ）が印字装置５０に存在するか否かを前記出力装置監視部１０４を参照することにより判断し、用紙が有ると判断するとステップＳ１６で、当該画情報１を未処理画情報記憶部１０８から読み出し、ステップＳ１７で、当該読み出された画情報１を印字装置５０に転送して印字出力させ、ステップＳ１０へ戻り、ステップＳ１０で、再び前記出力装置監視部１０４が印字装置５０の状況を監視して記録用紙に関する前記有無情報を更新し、
　ステップＳ１５で、未処理画情報記憶部１０８の一番目に登録されている未処理画情報２の記録用紙（Ａ４サイズ）が印字装置５０に存在するか否かを、前記と同様に出力装置監視部１０４を参照することにより判断し、Ａ４サイズが用紙切れを起こしているとステップＳ１８へ進み、ステップＳ１８では、当該画情報２を未処理画情報記憶部１０８から読み出し、ステップＳ１９で、当該読み出された画情報２を退避画情報記憶部１０９に退避画情報として登録し、ステップＳ１０へ戻り、ステップＳ１０で、再び出力装置監視部１０４において記録用紙に関する前記有無情報を更新し、ステップＳ１１では、退避画情報記憶部１０９に前記退避画情報２が登録されているので、今度は判定が肯定となってステップＳ１２へ進み、
　ステップＳ１２では、画情報２の記録用紙（Ａ４サイズ）が印字装置５０に存在するか否かを、前記と同様に出力装置監視部１０４を参照することにより判断し、依然として用紙切れが解消されていなければステップＳ１４へ進み、前記と同様にステップＳ１４〜Ｓ１７の処理を実行して、未処理画情報記憶部１０８の一番目に登録されている未処理画情報３を印字装置５０によって印字出力させて再びステップＳ１０へ戻り、同様の処理を繰り返し、依然としてＡ４サイズの用紙切れが解消されていなければ、未処理画情報４（Ａ３サイズ）を印字装置５０によって印字出力させ、未処理画情報５（Ａ４サイズ）を退避画情報記憶部１０９の２番目に登録し、
　Ａ４サイズの用紙が印字装置５０に補充されると、当該処理はステップＳ１０、Ｓ１１を経て、ステップＳ１２で画情報２の記録用紙（Ａ４サイズ）が印字装置５０に存在するか否かを出力装置監視部１０４を参照することにより判断し、用紙切れが解消されていると判断されてステップＳ１３へ進み、
　ステップＳ１３で、退避画情報記憶部１０９の一番目に登録されている退避画情報２（Ａ４サイズ）を読み出して、ステップＳ１７において印字出力させ、次に再びステップＳ１３が実行されると、同様に退避画情報５（Ａ４サイズ）を印字出力させるようにして、
　障害が発生すると、当該障害に関連した画情報は退避画情報として一時的に退避させ、障害に無関係な他の画情報を先行して出力させ、退避画情報は障害が解消された時点で出力させるので、無駄な待機時間を発生させず、効率の良い出力処理を可能となした、
　画像処理装置の出力制御方法。」（以下「引用発明２」という。）
　
４　対比
　本願補正発明と引用発明１とを対比する。
（１）引用発明１の「ジョブ」、「印刷」、「印刷する」、「計算機１で作成されたイメージデータを受け取りそのままの解像度で用紙に印刷するプリンタ３」、「印刷処理全体のコントロール、キューイング処理、イメージ展開処理、プリンタコントロール処理等を行う計算機１」、「イメージバッファ管理テーブル２２から各印刷イメージデータのページ総数と処理ページとをキュー順位の上位から順にチェックして、処理ページ≦総ページ数の関係になっているジョブを検索して、検索されたジョブのカレントページ（処理ページ）が印刷開始指定ページに達しているか否か判断し、処理ページ≧印刷開始指定ページの関係を満たすジョブがあれば、そのジョブについてのキュー管理テーブル２１上の処理状況を印刷中に変更して、そのジョブに対応する印刷イメージデータをイメージバッファ２４から取り出してプリンタ３へ転送することにより、並行してイメージ展開したジョブのうち先にイメージ展開が終了するジョブから順次印刷することができるようにした、スケジューリング処理１４」、「『ジョブのカレントページ（処理ページ）が印刷開始指定ページに達しているか否か判断』し、ジョブが『処理ページ≧印刷開始指定ページの関係を満たす』と判定」、「そのジョブについてのキュー管理テーブル２１上の処理状況を印刷中に変更して、そのジョブに対応する印刷イメージデータをイメージバッファ２４から取り出してプリンタ３へ転送することにより、並行してイメージ展開したジョブのうち先にイメージ展開が終了するジョブから順次印刷する」及び「印刷処理装置を備えたシステム」は、それぞれ、本願補正発明の「印刷ジョブ」、「印刷」、「印刷を実行する」、「印刷手段」、「印刷ジョブの印刷の実行を制御する制御手段」、「後続する印刷ジョブの印刷データの変換処理が完了しているか否かを判定する第１の判定処理」、「前記第１の判定処理によって前記後続する印刷ジョブの印刷データの変換処理が完了していると判定」、「当該完了していると判定された前記後続する印刷ジョブの印刷を実行する」及び「印刷装置」に相当する。
　
（２）上記（１）に照らせば、本願補正発明と引用発明１とは、
「印刷ジョブの印刷を実行する印刷手段と、
　前記印刷ジョブの印刷の実行を制御する制御手段であって、
　後続する印刷ジョブの印刷データの変換処理が完了しているか否かを判定する第１の判定処理を実行し、
　前記第１の判定処理によって前記後続する印刷ジョブの印刷データの変換処理が完了していると判定されれば、当該完了していると判定された前記後続する印刷ジョブの印刷を実行する、制御手段と、
を有する印刷装置。」である点で一致し、次の点で相違する。
　
相違点：
　本願補正発明では、
　　前記「印刷手段」により前記「印刷ジョブ」の「印刷」に関するエラーが発生した場合に、
　　前記「制御手段」が、前記「第１の判定処理」を実行し、
　　　前記「第１の判定処理」によって前記後続する印刷ジョブの印刷データの変換処理が完了していると判定されれば、当該後続する印刷ジョブの印刷を前記印刷ジョブの印刷に先行して実行し、
　　　前記「第１の判定処理」によって前記後続する印刷ジョブの印刷データの変換処理が完了していないと判定されれば、前記印刷ジョブの印刷に関するエラーが解消されたか否かを判定する第２の判定処理を実行し、前記第２の判定処理で前記印刷ジョブの印刷に関するエラーが解消されたと判定されるよりも早く、前記「第１の判定処理」によって前記後続するジョブの印刷データの変換処理が完了していると判定された場合には、当該完了していると判定された前記後続する印刷ジョブの印刷を前記印刷ジョブの印刷に先行して実行し、
　　　前記「第１の判定処理」で前記後続するジョブの印刷データの変換処理が完了していると判定されるよりも早く、前記第２の判定処理によって前記印刷ジョブの印刷に関するエラーが解消されたと判定された場合には、当該解消されたと判定された前記印刷ジョブの印刷を前記後続する印刷ジョブの印刷に先行して実行するのに対して、
　引用発明１では、
　　前記「印刷手段」により前記「印刷ジョブ」の「印刷」に関するエラーが発生した場合に、前記「制御手段」がどのような処理を行うか不明である点。
　
５　判断
　上記相違点について検討する。
（１）引用例２には、上記３（２）で述べたとおり、引用発明２（上記３（２）イ参照。）が記載されている。
　引用発明２は、「例えば上位装置ＡからＡ３サイズでの印字要求があった後に、今度は上位装置ＢからＡ４サイズでの印字要求があった場合、Ａ３サイズが用紙切れを起こすと、Ａ４サイズの記録用紙があれば、物理的には、上位装置ＢからのＡ４サイズでの印字要求を処理することは可能であるにもかかわらず、従来技術では、当該時点で全ての処理が中断し、Ａ３サイズの記録用紙が補充されるまで処理が再開されなかったが、上位装置Ｂからの印字要求を先行して処理しＡ３サイズの記録用紙が補充された時点で上位装置Ａからの印字要求を処理するようにすれば効率の良いプリント処理が可能になるので、上位装置からの一の印字要求に応じられない事態が発生したような場合であっても、他の印字要求に応じることができれば、当該他の印字要求を先行して処理できるようにした画像処理装置の出力制御方法を提供する」ことを目的としており、
　引用発明２の「画像処理装置の出力制御方法」は、入力された画情報を一旦蓄積し、その後、出力装置に出力するものであって、
「(1)新規に入力される未処理画情報を、その入力順序で管理して記憶し、
　(2)出力装置の障害を検知し、
　(3)記憶された未処理画情報を前記入力順序にしたがって検索し、
　(4)検索された画情報が障害に無関係であれば出力し、障害に関係していれば退避させ、
　(5)前記(2)ないし(4)の手順を繰り返し、前記障害が復旧すると、前記退避させた画情報を前記未処理画情報に優先して、前記入力順序にしたがって出力する」ようにしたものである。
　
（２）引用発明１の「印刷処理装置を備えたシステム」は、連続した印刷要求に対してプリンタのハードウエアを効率よく運用することができる印刷処理装置を提供することを目的とし、連続した複数の印刷要求に対しては印刷データを印刷イメージへ展開するイメージ展開処理を並列に実行し、印刷要求毎にイメージバッファに保存し、予め定めた印刷条件を満足した印刷要求からプリンタへ転送するようにしたものであるから、引用発明２に照らせば、「効率の良いプリント処理」を目的とし、「入力された画情報（印刷データ）を印刷イメージへ展開しイメージバッファに一旦蓄積し、その後、出力装置（プリンタ）に出力する画像処理装置（印刷処理装置）の出力制御方法」を実行するシステムであるといえ、イメージバッファに一旦蓄積された展開された印刷イメージはいまだ印刷されていないから「記憶された未処理画情報」といえ、イメージバッファは「未処理画情報記憶部」といえるものである。
　
（３）上記（１）及び（２）からして、引用発明１の「印刷処理装置を備えたシステム」において、上位装置からの一の印字要求に応じられない事態が発生したような場合であっても、他の印字要求に応じることができれば、当該他の印字要求を先行して処理できるようにするために、
　例えば、上位装置から第１の印刷データについて１０ページのＡ３サイズでの第１の印字要求があった後に、今度は上位装置から１ページの第２の印刷データについてのＡ４サイズでの第２の印字要求があり、しばらくの時間経過後に、第３の印刷データについての３ページのＡ３サイズでの第３の印字要求、第４の印刷データについての７ページのＡ３サイズでの第４の印字要求、第５の印刷データについての７ページのＡ４サイズでの第５の印字要求があり、すべて印刷開始指定ページが総ページ数の設定の印字要求とし、プリンタ３ではＡ４サイズの用紙は十分にあるがＡ３サイズの用紙は切れており、第１の印刷データのイメージ展開処理よりも第２の印刷データのイメージ展開処理が早く完了して処理ページ≧印刷開始指定ページの関係を満たし、次に第１の印刷データのイメージ展開処理が完了し、その後第３ないし第５の印刷データのイメージ展開処理が順次完了したとすると、
　ディスク２に退避画情報記憶部を確保するとともに、
　イメージバッファ（未処理画情報記憶部）に最初に処理ページ≧印刷開始指定ページの関係を満たしたジョブとして登録された第２の印刷データのジョブの記録用紙（Ａ４サイズ）がプリンタ３に存在するか否かの第２の判断を行い、用紙が有ると判断すると当該第２の印刷データのジョブの印刷イメージデータをイメージバッファから読み出し、当該読み出された第２の印刷データのジョブの印刷イメージデータをプリンタ３に転送して印字出力させ、
　次に処理ページ≧印刷開始指定ページの関係を満たしたジョブとしてイメージバッファに登録された第１の印刷データのジョブの記録用紙（Ａ３サイズ）がプリンタ３に存在するか否かの第２の判断を行い、Ａ３サイズが用紙切れを起こしていると、当該第１の印刷データのジョブの印刷イメージデータをイメージバッファから読み出し、当該読み出された第１の印刷データのジョブの印刷イメージデータを退避画情報記憶部に退避画情報として登録し、
　第１の印刷データのジョブの記録用紙（Ａ３サイズ）がプリンタ（印字装置）３に存在するか否かの第２の判断を行い、依然として用紙切れが解消されていなければ、次に処理ページ≧印刷開始指定ページの関係を満たしたジョブとしてイメージバッファに登録された第３の印刷データのジョブの記録用紙（Ａ３サイズ）がプリンタ３に存在するか否かの第２の判断を行い、当該第３の印刷データのジョブの印刷イメージデータをイメージバッファから読み出し、当該読み出された第３の印刷データのジョブの印刷イメージデータを退避画情報記憶部に退避画情報として登録し、
　第３の印刷データのジョブの記録用紙（Ａ３サイズ）がプリンタ（印字装置）３に存在するか否かの第２の判断を行い、依然として用紙切れが解消されていなければ、次に処理ページ≧印刷開始指定ページの関係を満たしたジョブとしてイメージバッファに登録された第４の印刷データのジョブの記録用紙（Ａ３サイズ）がプリンタ３に存在するか否かの第２の判断を行い、当該第４の印刷データのジョブの印刷イメージデータをイメージバッファから読み出し、当該読み出された第４の印刷データのジョブの印刷イメージデータを退避画情報記憶部に退避画情報として登録し、
　第４の印刷データのジョブの記録用紙（Ａ３サイズ）がプリンタ（印字装置）３に存在するか否かの第２の判断を行い、依然として用紙切れが解消されていなければ、次に処理ページ≧印刷開始指定ページの関係を満たしたジョブとしてイメージバッファに登録された第５の印刷データのジョブの記録用紙（Ａ４サイズ）がプリンタ３に存在するか否かの第２の判断を行い、用紙が有ると判断すると当該第５の印刷データのジョブの印刷イメージデータをイメージバッファから読み出し、当該読み出された第５の印刷データのジョブの印刷イメージデータをプリンタ３に転送して印字出力させ、
　Ａ３サイズの用紙がプリンタ３に補充されると、
　退避画情報記憶部の一番目に登録されている第１の印刷データのジョブの記録用紙（Ａ３サイズ）がプリンタ（印字装置）３に存在するか否かの第２の判断を行い、該第２の判断で用紙切れが解消されていると判断されるので、第１の印刷データのジョブの印刷イメージデータを退避画情報記憶部から読み出してプリンタ３に転送して印字出力させ、
　退避画情報記憶部に次に登録されている第３の印刷データのジョブの記録用紙（Ａ３サイズ）がプリンタ（印字装置）３に存在するか否かの第２の判断を行い、該第２の判断で用紙切れが解消されていると判断されるので、第３の印刷データのジョブの印刷イメージデータを退避画情報記憶部から読み出してプリンタ３に転送して印字出力させ、
　退避画情報記憶部に次に登録されている第４の印刷データのジョブの記録用紙（Ａ３サイズ）がプリンタ（印字装置）３に存在するか否かの第２の判断を行い、該第２の判断で用紙切れが解消されていると判断されるので、第４の印刷データのジョブの印刷イメージデータを退避画情報記憶部から読み出してプリンタ３に転送して印字出力させるようになすことは、当業者が引用発明２に基づいて容易に想到することができた程度のことである。
　
（４）上記（３）のようにした引用発明１の印刷処理装置を備えたシステムにおける「『第１の印刷データのジョブ』、『第３の印刷データのジョブ』、『第４の印刷データのジョブ』」、「『プリンタ３』では『Ａ３サイズの用紙』は切れており、『第１の印刷データのジョブの記録用紙（Ａ３サイズ）がプリンタ３に存在するか否かの第２の判断』を行い、『Ａ３サイズが用紙切れを起こしている』と判断された場合」、「第５の印刷データのジョブ」、「『ジョブのカレントページ（処理ページ）が印刷開始指定ページに達しているか否か判断』し、ジョブが『処理ページ≧印刷開始指定ページの関係を満たす』と判断」、「『第１の印刷データのジョブの印刷イメージデータを退避画情報記憶部に退避画情報として登録』し、『第３の印刷データのジョブの印刷イメージデータを退避画情報記憶部に退避画情報として登録』し、『第４の印刷データのジョブの印刷イメージデータをイメージバッファから読み出し、当該読み出された第４の印刷データのジョブの印刷イメージデータを退避画情報記憶部に退避画情報として登録』し、『第５の印刷データのジョブの印刷イメージデータをプリンタ３に転送して印字出力』させ」、「『退避画情報記憶部』に登録されている『印刷データのジョブの記録用紙（Ａ３サイズ）』がプリンタ（印字装置）３に存在するか否かの第２の判断」及び「該第２の判断で用紙切れが解消されていると判断」は、それぞれ、本願補正発明の「前記印刷ジョブ」、「印刷手段により前記印刷ジョブの印刷に関するエラーが発生した場合」、「後続する印刷ジョブ」、「印刷ジョブの印刷データの変換処理が完了していると判定」、「後続する印刷ジョブの印刷を前記印刷ジョブの印刷に先行して実行」、「前記印刷ジョブの印刷に関するエラーが解消されたか否かを判定する第２の判定処理」及び「前記第２の判定処理で前記印刷ジョブの印刷に関するエラーが解消されたと判定」に相当するから、
　引用発明１において上記（３）のようになすことは、引用発明１において、前記「印刷手段」により前記「印刷ジョブ」の「印刷」に関するエラーが発生した場合に、前記「制御手段」が、前記「第１の判定処理」を実行し、前記「第１の判定処理」によって前記後続する印刷ジョブの印刷データの変換処理が完了していると判定されれば、当該後続する印刷ジョブの印刷を前記印刷ジョブの印刷に先行して実行し、前記「第１の判定処理」によって前記後続する印刷ジョブの印刷データの変換処理が完了していないと判定されれば、前記印刷ジョブの印刷に関するエラーが解消されたか否かを判定する第２の判定処理を実行し、前記第２の判定処理で前記印刷ジョブの印刷に関するエラーが解消されたと判定されるよりも早く、前記「第１の判定処理」によって前記後続するジョブの印刷データの変換処理が完了していると判定された場合には、当該完了していると判定された前記後続する印刷ジョブの印刷を前記印刷ジョブの印刷に先行して実行し、前記「第１の判定処理」で前記後続するジョブの印刷データの変換処理が完了していると判定されるよりも早く、前記第２の判定処理によって前記印刷ジョブの印刷に関するエラーが解消されたと判定された場合には、当該解消されたと判定された前記印刷ジョブの印刷を前記後続する印刷ジョブの印刷に先行して実行するようになすことであり、引用発明１において上記相違点に係る本願補正発明の構成となすことである。
　したがって、引用発明１において上記相違点に係る本願補正発明の構成となすことは、上記（３）からみて、当業者が引用発明２に基づいて容易になし得た程度のことである。
　
（５）本願補正発明の奏する効果は、当業者が、引用発明１の奏する効果及び引用発明２の奏する効果から予測できた程度のものである。
　
（６）したがって、本願補正発明は、当業者が、引用例１に記載された発明及び引用例２に記載された発明に基づいて容易に発明をすることができたものである。
　本願補正発明は、当業者が、引用例１に記載された発明及び引用例２に記載された発明に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するものである。
　したがって、本件補正は、平成１８年法律第５５号改正附則第３条第１項によりなお従前の例によるとされる同法による改正前の特許法第１５９条第１項において読み替えて準用する同法第５３条第１項の規定により却下すべきものである。
　
第３　本願発明について
１　本願発明
　本件補正は上記第２のとおり却下されたので、本願の請求項１ないし１１に係る発明は、平成２２年１０月１２日付けで補正された明細書の特許請求の範囲の請求項１ないし１１に記載された事項によって特定されるものであるところ、請求項１に係る発明（以下「本願発明」という。）は、平成２２年１０月１２日付けで補正された明細書及び図面の記載からみて、上記「第２〔理由〕１（１）」に本件補正前の請求項１として記載したとおりのものである。
　
２　引用例
　原査定の拒絶の理由に引用された引用例１及び引用例２並びにそれらの記載事項は、上記「第２〔理由〕３」に記載したとおりである。
　
３　対比・判断
　本願補正発明は、上記「第２〔理由〕１（２）」のとおり、本願発明の発明特定事項である「制御手段」について具体化して限定するものである。
　そうすると、本願発明の構成要件をすべて含み、さらに限定を付加したものに相当する本願補正発明が、上記「第２〔理由〕５」に記載したとおり、当業者が引用例１に記載された発明及び引用例２に記載された発明に基づいて容易に発明をすることができたものであるから、本願発明も同様の理由により、当業者が引用例１に記載された発明及び引用例２に記載された発明に基づいて容易に発明をすることができたものである。
　
４　むすび
　本願発明は、以上のとおり、当業者が引用例１に記載された発明及び引用例２に記載された発明に基づいて容易に発明をすることができたものであるから、特許法第２９条第２項の規定により特許を受けることができない。
　よって、結論のとおり審決する。